(57)【要約】【課題】機器の薄型化に寄与する。【解決手段】多色発光部２４及び白色発光部２５が搭載されたＦＰＣ２３が、保持フレーム３２の下面に取り付けられ、配線基板３３が保持フレーム３２の上面に取り付けられ、多色発光部２４が保持フレーム３２及び配線基板３３に形成された開口部３２ａ，３３ａから露出され、白色発光部２５が保持フレーム３２に形成された開口部３２ｂ内に配置される。ロゴプレート２２は、リアカバー２１の開口部２１ａ，２１ｂからそれぞれ先端面２６ａ，２７ａが露出するように保持フレーム３２に取り付けられ、ロゴプレート２２の所定の部位を多色発光部２４及び白色発光部２５が照明する。【選択図】図１
2005340952.tif 000002
【特許請求の範囲】
【請求項１】
携帯型電子機器の筐体に小型部品が実装された小型部品実装構造であって、
互いに背向する第１及び第２の面を有する保持基体の前記第１の面側に第１の基板が配設され、前記第２の面側に第２の基板が配設され、前記小型部品が前記第２の基板上に搭載され、前記保持基体及び前記第１の基板にはそれぞれ基体開口部及び基板開口部が形成され、
前記保持基体と前記第１及び第２の基板とは、前記基板開口部が前記筐体の内壁面近傍に配置されるように、かつ、前記第２の基板上の前記小型部品の搭載領域と、前記保持基体の前記基体開口部と、前記第１の基板の前記基板開口部とが重なるように、配設されている
ことを特徴とする携帯型電子機器における小型部品実装構造。
【請求項２】
前記小型部品は、前記基体開口部及び前記基板開口部を貫通した状態で、前記第２の基板上に搭載されていることを特徴とする請求項１記載の携帯型電子機器における小型部品実装構造。
【請求項３】
前記小型部品は、少なくともその一部が前記基体開口部内に配置された状態で、前記第２の基板上に搭載されていることを特徴とする請求項１又は２記載の携帯型電子機器における小型部品実装構造。
【請求項４】
前記第２の基板は、フレキシブル配線板からなることを特徴とする請求項１、２又は３記載の携帯型電子機器における小型部品実装構造。
【請求項５】
前記保持基体の前記第２の面側には、前記第２の基板を挟んで板状部品が配設されていることを特徴とする請求項４記載の携帯型電子機器における小型部品実装構造。
【請求項６】
前記小型部品は点状光源を有してなり、前記点状光源から放射された光が前記筐体に設けられた窓部から出射するように、前記基体開口部及び前記基板開口部が配置されていることを特徴とする請求項１乃至５のいずれか１に記載の携帯型電子機器における小型部品実装構造。
【請求項７】
前記板状部品は液晶表示装置を構成する光学部品であることを特徴とする請求項５又は６記載の携帯型電子機器における小型部品実装構造。
【請求項８】
前記光学部品はバックライト装置の導光板を含むことを特徴とする請求項７記載の携帯型電子機器における小型部品実装構造。
【請求項９】
前記窓部は、前記筐体に形成された筐体開口部に前記点状光源によって照明される被照明板が嵌め込まれてなることを特徴とする請求項６、７又は８記載の携帯型電子機器における小型部品実装構造。
【請求項１０】
前記筐体開口部及び前記被照明板は、所定の模様が象られるように成形されていることを特徴とする請求項９記載の携帯型電子機器における小型部品実装構造。
【請求項１１】
前記点状光源は、発光ダイオードからなることを特徴とする請求項６乃至１０のいずれか１に記載の携帯型電子機器における小型部品実装構造。
【請求項１２】
前記保持基体の前記基体開口部の近傍には、前記第２の基板に接続されたフレキシブル配線板からなる接続配線板を挿通するための配線板挿通孔が形成され、該配線板挿通孔に一端部が挿通された前記接続配線板は前記第１の面側に配設されていることを特徴とする請求項４乃至１１のいずれか１に記載の携帯型電子機器における小型部品実装構造。
【請求項１３】
前記接続配線板は、前記液晶表示装置を構成する前記バックライト装置に接続された接続配線板に接続されていることを特徴とする請求項１２記載の携帯型電子機器における小型部品実装構造。
【請求項１４】
携帯型電子機器の筐体に点状光源が実装された光源実装構造であって、
互いに背向する第１及び第２の面を有する保持基体の前記第１の面側に第１の基板が配設され、前記第２の面側に第２の基板が配設され、前記点状光源が前記第２の基板上に搭載され、前記保持基体及び前記第１の基板にはそれぞれ基体開口部及び基板開口部が形成され、
前記保持基体と前記第１及び第２の基板とは、前記基板開口部が前記筐体の内壁面近傍に配置されるように、かつ、前記第２の基板上の前記点状光源の搭載領域と、前記保持基体の前記基体開口部と、前記第１の基板の前記基板開口部とが重なるように、配設され、
前記点状光源は、前記基体開口部及び前記基板開口部を貫通した状態で、又は少なくともその一部が前記基体開口部内に配置された状態で、前記第２の基板上に搭載され、
前記点状光源から放射された光が前記筐体に設けられた窓部から出射するように、前記基体開口部及び前記基板開口部が配置されていることを特徴とする携帯型電子機器における光源実装構造。
【請求項１５】
請求項１乃至１３のいずれか１に記載の携帯型電子機器における小型部品実装構造を備えたことを特徴とする携帯型電子機器。
【請求項１６】
携帯型電子機器の筐体に小型部品が実装された小型部品実装構造において用いられるフレキシブル配線板配置方法であって、
互いに背向する第１及び第２の面を有し所定の部位に基体開口部及び配線板挿通孔が形成された保持基体の前記第１の面側に、前記基体開口部に対応した基板開口部が形成された第１の基板を配設し、前記第２の面側にフレキシブル配線板からなり前記小型部品が搭載された第２の基板を配設し、
フレキシブル配線板からなる接続配線板を、その一端部を前記配線板挿通孔に挿通した状態で前記第２の基板に接続し、その少なくとも中間部を前記第１の面側に配置し、その他端部を前記第１の基板に接続する
ことを特徴とする小型部品実装構造において用いられるフレキシブル配線板配置方法。
【請求項１７】
前記小型部品は、前記基体開口部及び前記基板開口部を貫通した状態で、前記第２の基板上に搭載されていることを特徴とする請求項１６記載の小型部品実装構造において用いられるフレキシブル配線板配置方法。
【請求項１８】
前記小型部品は、少なくともその一部が前記基体開口部内に配置された状態で、前記第２の基板上に搭載されていることを特徴とする請求項１６又は１７記載の小型部品実装構造において用いられるフレキシブル配線板配置方法。
【請求項１９】
前記配線板挿通孔は、前記基体開口部が兼ねることを特徴とする請求項１６、１７又は１８記載の小型部品実装構造において用いられるフレキシブル配線板配置方法。
【請求項２０】
前記配線板挿通孔は、前記基体開口部の近傍に形成されることを特徴とする請求項１６、１７又は１８記載の小型部品実装構造において用いられるフレキシブル配線板配置方法。
【請求項２１】
前記小型部品は点状光源を有してなり、前記点状光源から放射された光が前記筐体に設けられた窓部から出射するように、前記基体開口部及び前記基板開口部が配置されていることを特徴とする請求項１６乃至２０のいずれか１に記載の小型部品実装構造において用いられるフレキシブル配線板配置方法。
【請求項２２】
前記保持基体の前記第２の面側には、前記第２の基板を挟んで液晶表示装置を構成するバックライト装置が配設されることを特徴とする請求項１６乃至２１のいずれか１に記載の小型部品実装構造において用いられるフレキシブル配線板配置方法。
【請求項２３】
前記接続配線板は、前記バックライト装置に接続された接続配線板に接続されていることを特徴とする請求項２２記載の小型部品実装構造において用いられるフレキシブル配線板配置方法。
【発明の詳細な説明】
【技術分野】
【０００１】
この発明は、携帯型電子機器における小型部品実装構造、光源実装構造、携帯型電子機器及びフレキシブル配線板配置方法に係り、携帯電話機等の携帯型電子機器の筐体にＬＥＤ（Light  Emission  Diode）等の小型部品が実装された携帯型電子機器における小型部品実装構造及び光源実装構造、小型部品実装構造を備えた携帯型電子機器並びに小型部品実装構造において用いられるフレキシブル配線板配置方法に関する。
【背景技術】
【０００２】
従来より、電子機器としての携帯電話機では、例えば、着信通知用やキートップ照明用のＬＥＤ等の光源は、筐体内に配置された配線基板上に搭載され（例えば、特許文献１、特許文献２参照。）、筐体表面側に光が透過するように構成がなされている。
筐体の背面側にエンブレムが配置され、正面側に表示パネルが配設された例えば折畳み型の携帯電話機において、着信時や通話時にエンブレムをイルミネーション表示する発光部１０１は、図８及び図９に示すように、筐体を構成するリアカバー１０２に取り付けられたロゴプレート１０３と、共に配線基板１０４上に搭載された多色発光部１０５及び白色発光部１０６とを有してなっている。
【０００３】
ロゴプレート１０３は、例えばエクスクラメーションマークに対応した断面長円状の凸部１０７と、断面小円状の凸部１０８とが平板部１０９上に形成されてなっており、凸部１０７，１０８がそれぞれ筐体のリアカバー１０２に形成された長円状の開口部１０２ａ及び小円状の開口部１０２ｂに嵌め込まれるように配置されている。
また、多色発光部１０５は、３原色でそれぞれに発光する赤色ＬＥＤ、緑色ＬＥＤ、青色ＬＥＤとを有し、主として凸部１０７を照明し、白色発光部１０６は、高輝度白色ＬＥＤからなり、主として凸部１０８を照明する。
多色発光部１０５及び白色発光部１０６を搭載した配線基板１０４は、保持フレーム１０９の上面（背面）側に配置され、この保持フレーム１０９によって保持される。
また、保持フレーム１０９の下面（正面）側には、導光板、拡散シート及びプリズムシートを含む光学部材群１１０が配設され、この光学部材群１１０を保持フレーム１０９との間に挟んだ状態で、枠状の両面粘着シート等を介して液晶表示パネル１１１が固定されている。
【特許文献１】特開２００３−１２２２６０号公報（図６、図７）
【特許文献２】特開平１１−２２５１９２号公報（図５）
【発明の開示】
【発明が解決しようとする課題】
【０００４】
解決しようとする問題点は、上記従来技術では、多色発光部１０５及び白色発光部１０６が配線基板１０４上に搭載され、かつ、配線基板１０４の下面（背面）側にも電子部品が搭載されるために、図９に示すように、配線基板１０４上面とリアカバー１０２裏面との間の距離Ｄ0が比較的大きく設定されることとなり、機器の薄型化の妨げとなるという点である。
【０００５】
この発明は、上述の事情に鑑みてなされたもので、実装密度を向上させ、機器の薄型化に寄与することができる携帯型電子機器における小型部品実装構造、光源実装構造、携帯型電子機器及びフレキシブル配線板配置方法を提供することを目的としている。
【課題を解決するための手段】
【０００６】
上記課題を解決するために、請求項１記載の発明は、携帯型電子機器の筐体に小型部品が実装された小型部品実装構造に係り、互いに背向する第１及び第２の面を有する保持基体の上記第１の面側に第１の基板が配設され、上記第２の面側に第２の基板が配設され、上記小型部品が上記第２の基板上に搭載され、上記保持基体及び上記第１の基板にはそれぞれ基体開口部及び基板開口部が形成され、上記保持基体と上記第１及び第２の基板とは、上記基板開口部が上記筐体の内壁面近傍に配置されるように、かつ、上記第２の基板上の上記小型部品の搭載領域と、上記保持基体の上記基体開口部と、上記第１の基板の上記基板開口部とが重なるように、配設されていることを特徴としている。
【０００７】
また、請求項２記載の発明は、請求項１記載の携帯型電子機器における小型部品実装構造に係り、上記小型部品は、上記基体開口部及び上記基板開口部を貫通した状態で、上記第２の基板上に搭載されていることを特徴としている。
【０００８】
また、請求項３記載の発明は、請求項１又は２記載の携帯型電子機器における小型部品実装構造に係り、上記小型部品は、少なくともその一部が上記基体開口部内に配置された状態で、上記第２の基板上に搭載されていることを特徴としている。
【０００９】
また、請求項４記載の発明は、請求項１、２又は３記載の携帯型電子機器における小型部品実装構造に係り、上記第２の基板は、フレキシブル配線板からなることを特徴としている。
【００１０】
また、請求項５記載の発明は、請求項４記載の携帯型電子機器における小型部品実装構造に係り、上記保持基体の上記第２の面側には、上記第２の基板を挟んで板状部品が配設されていることを特徴としている。
【００１１】
また、請求項６記載の発明は、請求項１乃至５のいずれか１に記載の携帯型電子機器における小型部品実装構造に係り、上記小型部品は点状光源を有してなり、上記点状光源から放射された光が上記筐体に設けられた窓部から出射するように、上記基体開口部及び上記基板開口部が配置されていることを特徴としている。
【００１２】
また、請求項７記載の発明は、請求項５又は６記載の携帯型電子機器における小型部品実装構造に係り、上記板状部品は液晶表示装置を構成する光学部品であることを特徴としている。
【００１３】
また、請求項８記載の発明は、請求項７記載の携帯型電子機器における小型部品実装構造に係り、上記光学部品はバックライト装置の導光板を含むことを特徴としている。
【００１４】
また、請求項９記載の発明は、請求項６、７又は８記載の携帯型電子機器における小型部品実装構造に係り、上記窓部は、上記筐体に形成された筐体開口部に上記点状光源によって照明される被照明板が嵌め込まれてなることを特徴としている。
【００１５】
また、請求項１０記載の発明は、請求項９記載の携帯型電子機器における小型部品実装構造に係り、上記筐体開口部及び上記被照明板は、所定の模様が象られるように成形されていることを特徴としている。
【００１６】
また、請求項１１記載の発明は、請求項６乃至１０のいずれか１に記載の携帯型電子機器における小型部品実装構造に係り、上記点状光源は、発光ダイオードからなることを特徴としている。
【００１７】
また、請求項１２記載の発明は、請求項４乃至１１のいずれか１に記載の携帯型電子機器における小型部品実装構造に係り、上記保持基体の上記基体開口部の近傍には、上記第２の基板に接続されたフレキシブル配線板からなる接続配線板を挿通するための配線板挿通孔が形成され、該配線板挿通孔に一端部が挿通された上記接続配線板は上記第１の面側に配設されていることを特徴としている。
【００１８】
また、請求項１３記載の発明は、請求項１２記載の携帯型電子機器における小型部品実装構造に係り、上記接続配線板は、上記液晶表示装置を構成する上記バックライト装置に接続された接続配線板に接続されていることを特徴としている。
【００１９】
また、請求項１４記載の発明は、携帯型電子機器の筐体に点状光源が実装された光源実装構造に係り、互いに背向する第１及び第２の面を有する保持基体の上記第１の面側に第１の基板が配設され、上記第２の面側に第２の基板が配設され、上記点状光源が上記第２の基板上に搭載され、上記保持基体及び上記第１の基板にはそれぞれ基体開口部及び基板開口部が形成され、上記保持基体と上記第１及び第２の基板とは、上記基板開口部が上記筐体の内壁面近傍に配置されるように、かつ、上記第２の基板上の上記点状光源の搭載領域と、上記保持基体の上記基体開口部と、上記第１の基板の上記基板開口部とが重なるように、配設され、上記点状光源は、上記基体開口部及び上記基板開口部を貫通した状態で、又は少なくともその一部が上記基体開口部内に配置された状態で、上記第２の基板上に搭載され、上記点状光源から放射された光が上記筐体に設けられた窓部から出射するように、上記基体開口部及び上記基板開口部が配置されていることを特徴としている。
【００２０】
また、請求項１５記載の発明に係る携帯型電子機器は、請求項１乃至１３のいずれか１に記載の携帯型電子機器における小型部品実装構造を備えたことを特徴としている。
【００２１】
また、請求項１６記載の発明は、携帯型電子機器の筐体に小型部品が実装された小型部品実装構造において用いられるフレキシブル配線板配置方法に係り、互いに背向する第１及び第２の面を有し所定の部位に基体開口部及び配線板挿通孔が形成された保持基体の上記第１の面側に、上記基体開口部に対応した基板開口部が形成された第１の基板を配設し、上記第２の面側にフレキシブル配線板からなり上記小型部品が搭載された第２の基板を配設し、フレキシブル配線板からなる接続配線板を、その一端部を上記配線板挿通孔に挿通した状態で上記第２の基板に接続し、その少なくとも中間部を上記第１の面側に配置し、その他端部を上記第１の基板に接続することを特徴としている。
【００２２】
また、請求項１７記載の発明は、請求項１６記載の小型部品実装構造において用いられるフレキシブル配線板配置方法に係り、上記小型部品は、上記基体開口部及び上記基板開口部を貫通した状態で、上記第２の基板上に搭載されていることを特徴としている。
【００２３】
また、請求項１８記載の発明は、請求項１６又は１７記載の小型部品実装構造において用いられるフレキシブル配線板配置方法に係り、上記小型部品は、少なくともその一部が上記基体開口部内に配置された状態で、上記第２の基板上に搭載されていることを特徴としている。
【００２４】
また、請求項１９記載の発明は、請求項１６、１７又は１８記載の小型部品実装構造において用いられるフレキシブル配線板配置方法に係り、上記配線板挿通孔は、上記基体開口部が兼ねることを特徴としている。
【００２５】
また、請求項２０記載の発明は、請求項１６、１７又は１８記載の小型部品実装構造において用いられるフレキシブル配線板配置方法に係り、上記配線板挿通孔は、上記基体開口部の近傍に形成されることを特徴としている。
【００２６】
また、請求項２１記載の発明は、請求項１６乃至２０のいずれか１に記載の小型部品実装構造において用いられるフレキシブル配線板配置方法に係り、上記小型部品は点状光源を有してなり、上記点状光源から放射された光が上記筐体に設けられた窓部から出射するように、上記基体開口部及び上記基板開口部が配置されていることを特徴としている。
【００２７】
また、請求項２２記載の発明は、請求項１６乃至２１のいずれか１に記載の小型部品実装構造において用いられるフレキシブル配線板配置方法に係り、上記保持基体の上記第２の面側には、上記第２の基板を挟んで液晶表示装置を構成するバックライト装置が配設されることを特徴としている。
【００２８】
また、請求項２３記載の発明は、請求項２２記載の小型部品実装構造において用いられるフレキシブル配線板配置方法に係り、上記接続配線板は、上記バックライト装置に接続された接続配線板に接続されていることを特徴としている。
【発明の効果】
【００２９】
この発明の構成によれば、小型部品が搭載された第２の基板が、保持基体の第２の面側から保持基体に取着され、小型部品が、例えば、基体開口部及び基板開口部を貫通した状態で、又はその少なくとも一部が、基体開口部内に配置されることによって、少なくとも、保持基体及び第１の基板の厚さの合計分を薄くすることができ、実装密度を向上させて、機器の薄型化に寄与することができる。
また、フレキシブル配線板からなる接続配線板を、保持基体の第１の面側に配設することによって、例えば、保持基体の端部に切欠きを設ける必要がなく、必要な保持基体の剛性を確保することができる。
【発明を実施するための最良の形態】
【００３０】
小型部品が搭載された第２の基板が、保持基体の第２の面側から保持基体に取着され、小型部品が、基体開口部及び基板開口部を貫通した状態で、又はその少なくとも一部が、基体開口部内に配置されることによって、少なくとも、保持基体及び第１の基板の厚さの合計分が薄くなり、実装密度を向上させて、機器の薄型化に寄与するという目的を実現した。
【実施例１】
【００３１】
図１は、この発明の第１実施例である携帯電話機の光源実装構造の構成を説明するための分解斜視図、図２は、同携帯電話機の構成を示す斜視図、図３は、同携帯電話機の構成を示すブロック図、図４は、同光源実装構造の構成を説明するための断面図、また、図５は、同光源実装構造の構成を一部破断して示す断面図である。
【００３２】
この例の携帯電話機１は、図２に示すように、折畳可能な筐体２を備えると共に、本来の通話機能のほか、例えば電子メールの送受信やインターネットに接続してホームページの閲覧が可能なデータ通信機能を有し、図３に示すように、当該携帯電話機本体の構成各部を制御する制御部３と、制御部３が実行する処理プログラムや各種データ等を記憶するための記憶部４と、アンテナ５を介して無線電波の送受信を行い、所定のプロトコルに従って通話やデータ通信を行うために用いられる無線通信部６と、ＬＥＤを有し例えば着信時や通話時に発光する発光部７と、発光部７を構成するＬＥＤを駆動するためのＬＥＤ駆動部８と、折畳時に内側となる側に配設され液晶表示装置からなり例えば文字メッセージや、機能設定画面、待受画面等が表示される表示部９と、数字や文字の入力操作等を行うための多数の各種操作キー等からなる操作部１１と、受話音声を出力するスピーカを有してなる受話部１２と、送話音声を入力するマイクロフォンを有してなる送話部１３と、着信時に着信音を発生するリンガ発生部１４と、振動によって例えば着信を通知するための振動部１５とから概略構成されている。
また、上記筐体２は、ヒンジ部１７で相互に結合された上側筐体１８と下側筐体１９とからなり、ヒンジ部１７は、上側筐体１８と下側筐体１９とを回転自在に結合して当該携帯電話機１に折畳可能な構造を付与している。
【００３３】
制御部３は、共にＣＰＵ（中央処理装置）等からなり、記憶部４に記憶された各種処理プログラムを実行し、記憶部４に確保された各種レジスタやフラグを用いて、構成各部を制御し各種制御処理を実行する。
記憶部４は、ＲＯＭ、ＲＡＭ等の半導体メモリからなり、制御部３が実行する発光制御処理プログラムや、操作制御処理プログラム、通信制御処理プログラム、表示制御処理プログラム、ホームページを閲覧するためのプログラムとしてのブラウザ、電子メールを作成したり送受信するためのプログラムとしてのメーラ等の各種処理プログラム等をが記憶されたプログラム記憶領域と、各機能の設定情報や通信履歴情報、電話帳情報等の各種情報が記憶された情報記憶領域とを有すると共に、この記憶部４には、制御部３がプログラム実行時に用いる各種レジスタやフラグが確保されている。
発光制御プログラムには、着信時や通話時に発光部７を構成する各ＬＥＤを予め設定された点滅パターンに従って点滅させて、所望のイルミネーションパターンを表示させる発光制御を行うための手順が記述されている。
【００３４】
この例の発光部７は、着信時にその旨を通知する着信通知機能と、所定のエンブレムをイルミネーション表示するイルミネーション表示機能とを兼ね備えている。
発光部７は、図１、図４及び図５に示すように、上側筐体１８を構成するリアカバー２１に取り付けられたロゴプレート２２と、共にＦＰＣ（Flexible Printed Circuit）２３上に搭載され、比較的背の高い多色発光部２４及び比較的背の低い白色発光部２５とを有してなっている。
【００３５】
ロゴプレート２２は、例えば、エクスクラメーションマーク（感嘆符）の形状に対応した断面長円状の凸部２６と、断面小円状の凸部２７とが平板部２８上に形成されてなっており、凸部２６，２７がそれぞれ上側筐体１８のリアカバー２１に形成された長円状の開口部２１ａ及び小円状の開口部２１ｂに嵌め込まれ、先端面２６ａ，２７ａがそれぞれ開口部２１ａ，２１ｂから露出するように、平板部２８の上面の周縁部がリアカバー２１の内壁面に当接されるように配置されている。
なお、この例では、ロゴプレート２２の底面には、薄い金属膜がハーフ蒸着によって形成され、装飾性が高められていると共に、非点灯時に白色発光部２５が視認できないようにされている。
【００３６】
多色発光部２４は、３原色でそれぞれに発光する赤色ＬＥＤ、緑色ＬＥＤ、青色ＬＥＤとを有してなっている。
多色発光部２４は、ロゴプレート２２の平板部２８の凸部２６側の側端面２８ａに、その光出射面２４ａが対向するように配置され、主として凸部２６を照明する。
この例では、多色発光部２４から放射された光は、平板部２８の側端面２８ａから入射することによって、例えば、底面２８ｂ等の境界面で反射を繰り返しロゴプレート２２内で拡散が促されて、輝度が均一化された状態で先端面２６ａから出射されると共に、各ＬＥＤ（赤色ＬＥＤ、緑色ＬＥＤ、青色ＬＥＤ）から放射された各色光の混色も促されて視認される。
【００３７】
これに対して、ロゴプレート２２の底面２８ｂの直下に配置した場合には、多色発光部２４から放射された光は、ロゴプレート２２内の比較的短い距離を直上方へ向けて略直進して、輝度が不均一なままで先端面２６ａから出射され、かつ、赤色ＬＥＤ、緑色ＬＥＤ、青色ＬＥＤから放射された各色光の混色も不完全な状態で視認されてしまい、イルミネーション表示品質が悪化してしまう。
このように、多色発光部２４から放射された光を、側端面２８ａから入射させるようにするために、多色発光部２４の高さは、白色発光部２５の高さと比べて、若干高く設定されることとなる。
この例では、多色発光部２４は、ＬＥＤ駆動部８における電流のＰＷＭ(Pulse Width  Modulation）制御により、多彩な色の変化や発光強度の変化が可能とされている。
【００３８】
白色発光部２５は、例えば、青色ＬＥＤと、青色ＬＥＤから放射された青色光により黄色光を発光する蛍光材料が混入された蛍光板とを有する単一の高輝度白色ＬＥＤからなっている。
白色発光部２５は、ロゴプレート２２の平板部２８の底面２８ｂの凸部２７の直下の領域に、その光出射面２５ａが対向するように配置され、主として凸部２７を照明する。
この例では、白色発光部２５は、ＬＥＤ駆動部８から供給されるパルス電流によって、フラッシュイルミネーション表示が可能とされている。
【００３９】
この例の光源実装構造３１は、多色発光部２４及び白色発光部２５が搭載されたＦＰＣ２３が、保持フレーム３２の第２の面としての下面（表示部９が配設された上側筐体１８の正面側の面）に取り付けられ、かつ、各種電子部品が搭載された配線基板３３が保持フレーム３２の第１の面としての上面（上側筐体１８の背面側の面）に取り付けられ、多色発光部２４が保持フレーム３２及び配線基板３３に形成された開口部３２ａ，３３ａを貫通してその先端が露出され、白色発光部２５が保持フレーム３２に形成された開口部３２ｂ内に配置され、リアカバー２１の開口部２１ａ，２１ｂからそれぞれ先端面２６ａ，２７ａが露出するように保持フレーム３２に取り付けられたロゴプレート２２の所定の部位を多色発光部２４及び白色発光部２５が照明するように、構成がなされている。
【００４０】
このＦＰＣ２３は、図１に示すように、配線基板３３に接続された主配線部２３ａと、主配線部２３ａから分岐された分岐配線部２３ｂ，２３ｃと、分岐配線部２３ｂに接続され、多色発光部２４及び白色発光部２５が搭載されたイルミネーション用ＬＥＤ搭載部２３ｄと、分岐配線部２３ｃに接続され、その下面側（正面側）にバックライト用の複数のＬＥＤを含む光源ユニット（不図示）が搭載されたバックライト用ＬＥＤ搭載部２３ｅとを有してなっている。
多色発光部２４及び白色発光部２５は、ＦＰＣ２３のイルミネーション用ＬＥＤ搭載部２３ｄ、分岐配線部２３ｂ及び主配線部２３ａを介して配線基板３３に電気的に接続されている。
【００４１】
保持フレーム３２の所定の部位には、開口部３２ａ，３２ｂが形成されていると共に、開口部３２ｂの近傍には、ＦＰＣ２３の分岐配線部２３ｂを挿通するためのＦＰＣ挿通孔３２ｃが形成され、さらに、保持フレーム３２の下面側（正面側）の開口部３２ａ，３２ｂの縁部を含む領域には、ＦＰＣ２３のイルミネーション用ＬＥＤ搭載部２３ｄを嵌め込んで取り付けるための浅底の凹部３２ｄが形成され，保持フレーム３２の上面側（背面側）には、ＦＰＣ２３の主配線部２３ａ、分岐配線部２３ｂ，２３ｃを嵌め込んで取り付けるための浅底の凹部３２ｅが形成されている。
ＦＰＣ２３は、白色発光部２５が配置された開口部３２ａの近傍でＦＰＣ挿通孔３２ｃに挿通されて、分岐配線部２３ｂは、保持フレーム３２の下面側に配置されずに、上面側に配置される。
【００４２】
これによって、分岐配線部２３ｂを保持フレーム３２の下面側に配設して、バックライト用のＬＥＤが配置された側の端部で、バックライト用ＬＥＤ搭載部２３ｅ又は分岐配線部２３ｃに接続させようとした場合には、保持フレーム３２のバックライト用のＬＥＤが配置された側の端部に、分岐配線部２３ｂを通すための切欠きを設ける必要があるのに対して、このような切欠きを保持フレーム３２に設ける必要がないために、保持フレーム３２の所定の剛性を確保することができる。
保持フレーム３２の下面側には、後述するように、液晶表示装置を構成する液晶表示パネル３５や光学部材群３６が配設されている。
また、配線基板３３の開口部３２ａ，３２ｂが配置された保持フレーム３２の領域に対応する領域には、ロゴプレート２２を露出させるための開口部３３ａが形成されている。
【００４３】
無線通信部６は、ＲＦ回路や、変復調回路、ベースバンド処理回路等からなり、音声やデータを変調してアンテナ７を介して無線電波として送信すると共に、無線電波をアンテナ７を介して受信して音声やデータに復調し、所定のプロトコルに従って通話やデータ通信を行うために用いられる。
表示部８は、上側筐体１８の折畳み時に内側となる正面側の面に配設され、例えば透過型の液晶表示装置を有してなっている。液晶表示装置は、液晶表示パネル３５と、液晶表示パネル３５に照明光を与えるバックライト装置と、液晶表示パネル３５を駆動する駆動回路とを有している。
【００４４】
液晶表示パネル３５は、例えばＴＦＴ（Thin Film Transistor）構造の透過型の液晶表示パネルであり、ＴＦＴと透明画素電極とが多数形成されているＴＦＴ基板と、ＴＦＴ基板と数［μm］の間隙を介して対向して固定され、着色層（カラーフィルタ）が形成された対向基板と、上記間隙に封入された液晶層と、ＴＦＴ基板、対向基板の外側に配設された一対の偏向板とを有している。
バックライト装置は、点状光源としての複数（例えば４個）のＬＥＤからなる光源ユニットと、光源ユニットから出射した光を受光し面状の照明光を液晶表示パネル３５へ向けて出射する導光板、輝度のばらつきを補正するための拡散シート及び導光板側から入射した照明光を集光するプリズムシートを含む光学部材群３６とを有してなり、液晶表示パネル３５に裏面側から照明光を照射して、液晶表示パネル３５を透過した光を観察者に視認させる。なお、光源ユニットは、ＦＰＣ２３を構成するバックライト用ＬＥＤ搭載部２３ｅ、分岐配線部２３ｃ及び主配線部２３ａを介して配線基板３３に電気的に接続されている。
保持フレーム３２の下面側には、光学部材群３６が配設され、光学部材群３６を保持フレーム３２との間に挟んだ状態で、例えば、枠状の両面粘着シートを介して液晶表示パネル３５が固定されている。
【００４５】
操作部１１は、ブラウザを起動させてホームページを閲覧するためのブラウザモード選択キー、操作を決定するために用いられる決定キー、操作メニューを表示させるためのメニューキー、文字入力モードを切り換えるための入力モード切替えキー、電話帳を登録したり検索するための電話帳キー、音声通話を行うために用いる通話開始キー、操作を１つ前の状態へ戻すクリアキー、及び電源の入切りを行った各種操作を中止するために用いられる電源キーを含む機能キー群と、表示部８に表示された表示画面上のカーソルを上下左右方向へ移動させるためのカーソルキーと、例えば数字等を入力するためのテンキー群とを有している。
【００４６】
この例の携帯電話機１を組み立てるには、まず、保持フレーム３２の上面側の所定の部位に、ロゴプレート２２を接着する。
次に、保持フレーム３２の下面側に、イルミネーション用ＬＥＤ搭載部２３ｄに多色発光部２４及び白色発光部２５が搭載されたＦＰＣ２３を、多色発光部２４が開口部３２ａを貫通するように、かつ、白色発光部２５が開口部３２ｂ内に配置されるように、保持フレーム３２の下面側から保持フレーム３２に取着する。
ここで、イルミネーション用ＬＥＤ搭載部２３ｄを凹部３２ｄに嵌め込むと共に、イルミネーション用ＬＥＤ搭載部２３ｄに接続された分岐配線部２３ｂをＦＰＣ挿通孔３２ｃに挿通し、凹部３２ｅに嵌め込む。
【００４７】
次に、保持フレーム３２の下面側に、光学部材群３６を保持フレーム３２との間に挟んだ状態で、例えば、枠状の両面粘着シートを介して液晶表示パネル３５を固定する。
次に、上面側にロゴプレート２２が取着され、かつ、下面側に多色発光部２４及び白色発光部２５が搭載されたＦＰＣ２３と、光学部材群３６と、液晶表示パネル３５とが取着された保持フレーム３２の上から、開口部３３ａから、多色発光部２４の先端部が露出するように、かつ、ロゴプレート２２の凸部２６，２７が露出するように配線基板３３を重ねて組み付ける。ここで、配線基板３３の端部に配置されたコネクタ（不図示）に主配線部２３ａの端部を接続する。
多色発光部２４及び白色発光部２５は、ＦＰＣ２３のイルミネーション用ＬＥＤ搭載部２３ｄ、分岐配線部２３ｂ及び主配線部２３ａを介して配線基板３３に電気的に接続されている。
次に、配線基板３３の上から、ロゴプレート２２の先端面２６ａ，２７ａがそれぞれ開口部２１ａ，２１ｂから露出するように、リアカバー２１を被せる。
【００４８】
ここで、比較的背の高い多色発光部２４は、その下部が保持フレーム３２の開口部３２ａ内に配置される（すなわち、多色発光部２４は、保持フレーム３２の開口部３２ａ及び配線基板３３の開口部３３ａを貫通する）と共に、上部の光出射面２４ａは、配線基板３３の開口部３３ａ内に配置されたロゴプレート２２の平板部２８の側端面２８ａに対向配置される。また、比較的背の低い白色発光部２５は、保持フレーム３２の開口部３２ａ内に配置される（すなわち、白色発光部２５は、保持フレーム３２の開口部３２ａを貫通する）と共に、光出射面２５ａは開口部３３ａ内に配置されたロゴプレート２２の平板部２８の底面２８ｂに対向配置される。
配線基板３３からは、多色発光部２４及び白色発光部２５のうち、多色発光部２４の先端部が若干突出する。これによって、配線基板３３上面とリアカバー２１裏面との間の距離Ｄ1が、多色発光部２４及び白色発光部２５を配線基板３３上に搭載する場合に比べて短縮される。この例では、従来技術に比べて、少なくとも、配線基板３３と保持フレーム３２との厚さの合計分（例えば、１．７ｍｍ）以上上記距離が短縮され、機器の薄型化に寄与する。
【００４９】
電源投入後、制御部３は、操作者による入力操作や着信を待機する待受モードに入り、表示部９には待受画面を表示させる。この状態で、着信があると、制御部３は、ＬＥＤ駆動部８を制御して、多色発光部２４及び白色発光部２５を構成する各ＬＥＤを点滅させる。
この例では、多色発光部２４は、ＬＥＤ駆動部８における電流のＰＷＭ制御により、多彩に色を変化させたり発光強度を変化させて点滅する。
多色発光部２４の上部の光出射面２４ａから側方のロゴプレート２２へ向けて出射された光は、対向する側端面２８ａからロゴプレート２２内に入射し、例えば、底面２８ｂで反射して、断面長円状の凸部２６の先端面２６ａから出射し、観察者によって視認される。
また、白色発光部２５は、ＬＥＤ駆動部８から供給されるパルス電流によって点滅する。白色発光部２５の先端の光出射面２５ａから上方のロゴプレート２２へ向けて出射された光は、対向する底面２８ｂの断面小円状の凸部２７直下の領域からロゴプレート２２内に入射し、ロゴプレート２２内を透過して凸部２７の先端面２７ａから出射し、観察者によって視認される。
こうして、発光部７は、エンブレムをイルミネーション表示させる。
【００５０】
このように、この例の構成によれば、多色発光部２４及び白色発光部２５は、ＦＰＣ２３に搭載され、保持フレーム３２の下面側から保持フレーム３２に取着され、多色発光部２４は、保持フレーム３２の開口部３２ａ及び配線基板３３の開口部３３ａを貫通し、白色発光部２５は、保持フレーム３２の開口部３２ａを貫通するので、多色発光部２４及び白色発光部２５を配線基板３３上に搭載する従来技術に比べて、少なくとも、保持フレーム３２及び配線基板３３の厚さの合計分を薄くすることができ、実装密度を向上させて、機器の薄型化に寄与することができる。
また、ＦＰＣ２３の分岐配線部２３ｂを保持フレーム３２の上面（背面）側に配設したので、下面（正面）側に配設することによって、保持フレーム３２の端部（バックライト用のＬＥＤが配置される側）に切欠きを設ける必要がなく、必要な剛性を確保して、液晶表示パネルを確実に保持することができる。
【実施例２】
【００５１】
図６は、この発明の第２実施例である携帯電話機の光源実装構造の構成を説明するための断面図である。
この例が上述した実施例１と大きく異なるところは、発光部を多色発光部と白色発光部とから構成したのに対して、白色発光部を省略した点である。
これ以外の構成は、上述した実施例１の構成と略同一であるので、その説明を簡略にする。
【００５２】
この例の発光部７Ａは、図６に示すように、上側筐体１８を構成するリアカバー２１に取り付けられたロゴプレート２２と、ＦＰＣ２３上に搭載された多色発光部２４とを有してなっている。
多色発光部２４は、３原色でそれぞれに発光する赤色ＬＥＤ、緑色ＬＥＤ、青色ＬＥＤとを有し、ロゴプレート２２の平板部２８の凸部２６側の側端面２８ａに、その光出射面２４ａが対向するように配置され、凸部２６，２７を照明する。
【００５３】
この例の光源実装構造３１Ａは、多色発光部２４が搭載されたＦＰＣ２３が、保持フレーム３２の下面に取り付けられ、かつ、配線基板３３が保持フレーム３２の上面に取り付けられ、多色発光部２４が保持フレーム３２及び配線基板３３に形成された開口部３２ａ，３３ａを貫通してその先端が露出し、リアカバー２１の開口部２１ａ，２１ｂからそれぞれ先端面２６ａ，２７ａが露出するように保持フレーム３２に取り付けられたロゴプレート２２の所定の部位を多色発光部２４が照明するように、構成がなされている。
着信時や通話時に、多色発光部２４の上部の光出射面２４ａから側方のロゴプレート２２へ向けて出射された光は、対向する側端面２８ａからロゴプレート２２内に入射し、例えば、底面２８ｂで反射して、凸部２６，２７の先端面２６ａ，２７ａから出射し、観察者によって視認される。
【００５４】
この例の構成によれば、上述した実施例１と略同様の効果を得ることができる。
【００５５】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、小型部品としてＬＥＤ等の点状光源を筐体に実装する場合について述べたが、光源に限らず、例えば赤外線受光素子等を実装する場合に適用しても良いし、光学部品に限らず、例えばスピーカやマイクロフォン等、一般に、筐体の表面近傍に小型部品を実装する場合に適用して好適である。また、光源も点状光源に限らず、線状光源であっても良い。
また、例えば周囲の風景や人物等を撮影する電子カメラユニットを設けて、撮影機能やテレビ電話機能を付加するようにしても良い。これに対応させて、発光部に、撮影時に必要に応じてストロボ発光を行うストロボ発光機能を付加しても良い。
【００５６】
また、筐体の背面側に補助表示部を設けても良い。
また、主配線基板のほかに補助配線基板を配設する場合には、ＦＰＣに代えて補助配線基板上に発光部のＬＥＤを搭載するようにしても良い。
また、着信通知用及びイルミネーション表示用の発光部に適用する場合について述べたが、例えば操作部のキーボタンを照光する照光部に適用しても良い。
また、着信時と通話時とで同一のイルミネーションパターンで、表示する場合について述べたが、もちろん、異なるイルミネーションパターンを採用しても良い。
また、発光部は、１箇所や２箇所に限らず、３箇所以上に設けるようにしても良い。
【００５７】
また、多色発光部の赤色ＬＥＤ、緑色ＬＥＤ及び青色ＬＥＤは、１個ずつに限らず、複数個ずつ設けても良いし、それぞれ同数でなくても良い。また、赤色、緑色、青色に限らず、発光色が橙色、黄色、黄緑色のＬＥＤも用いるようにしても良い。また、白色ＬＥＤを追加して配置しても良い。
また、多色発光部は、３種類（３色）のＬＥＤに限らず、４種類以上のＬＥＤから構成しても良いし、２種類としても良い。また、多色発光部に代えて、例えば赤色ＬＥＤ、緑色ＬＥＤ及び青色ＬＥＤのうち、１種類のＬＥＤを選択して単色発光部としても良い。
また、上述した実施例では、エンブレムに対応した上側筐体の開口部及びロゴプレートの形状として、エクスクラメーションマークの形状を選定した場合について述べたが、この形状に限らない。
また、発光部の光源をバックライトの光源が兼ねるようにしても良い。
また、保持フレームに形成された開口部の大きさは、配線基板や液晶パネル等を保持するために必要な剛性が確保される範囲内で、調整可能である。
【００５８】
また、上述した実施例では、ＦＰＣ２３の挿通孔を開口部３２ｂとは別に設ける場合について述べたが、図７に示すように、光源実装構造３１Ｂにおいて、保持フレーム３２Ｂに、白色発光部２５を配置すると共に、ＦＰＣ挿通孔を兼ねる開口部３２ｍを形成し、この開口部３２ｍにＦＰＣ２３を挿通するようにしても良い。また、ＦＰＣ２３を開口部３２ａから引き出すようにしても良い。これによって、保持フレーム３２に形成する開口面積を抑制することができる。
また、上述した実施例では、小型部品としての多色発光部２４が保持フレーム３２及び配線基板３３を貫通したり、白色発光部２５が保持フレーム３２の開口部３２ｂ内に配置される場合について述べたが、もちろん、小型部品の先端面が開口部３３ａ内に配置されていても良い。
【産業上の利用可能性】
【００５９】
携帯型電子機器としては、携帯電話機のほか、簡易型携帯電話（ＰＨＳ）端末や、携帯情報端末（ＰＤＡ）、携帯型のコンピュータに対して適用できる。
【図面の簡単な説明】
【００６０】
【図１】この発明の第１実施例である携帯電話機の光源実装構造の構成を説明するための分解斜視図である。
【図２】同携帯電話機の構成を示す斜視図である。
【図３】同携帯電話機の構成を示すブロック図である。
【図４】同光源実装構造の構成を説明するための断面図である。
【図５】同光源実装構造の構成を一部破断して示す断面図である。
【図６】この発明の第２実施例である携帯電話機の光源実装構造の構成を説明するための断面図である。
【図７】この発明の第１実施例の変形例である携帯電話機の光源実装構造の構成を説明するための断面図である。
【図８】従来技術を説明するための説明図である。
【図９】従来技術を説明するための説明図である。
【符号の説明】
【００６１】
１      携帯電話機（携帯型電子機器）
２      筐体
７，７Ａ      発光部
８      ＬＥＤ駆動部
９      表示部
１８      下側筐体
１９      上側筐体
２１      リアカバー
２１ａ，２１ｂ      開口部（窓部の一部、筐体開口部）
２２      ロゴプレート（窓部の一部、被照明板）
２３      ＦＰＣ
２３ｂ      分岐配線部（接続配線板）
２３ｄ      イルミネーション用ＬＥＤ搭載部（第２の基板、フレキシブル配線板）
２４      多色発光部（小型部品、点状光源）
２５      白色発光部（小型部品、点状光源）
２６，２７      凸部
２８      平板部
３１，３１Ａ，３１Ｂ      光源実装構造（小型部品実装構造）
３２，３２Ｂ      保持フレーム（保持基体）
３２ａ，３２ｂ      開口部（基体開口部）
３２ｃ      ＦＰＣ挿通孔（配線板挿通孔）
３２ｍ      開口部（基体開口部、配線板挿通孔）
３３      配線基板（第１の基板）
３３ａ      開口部（基板開口部）
３５      液晶表示パネル（板状部品）
３６      光学部材群（板状部品）
【図１】
2005340952.tif 000003
【図２】
2005340952.tif 000004
【図３】
2005340952.tif 000005
【図４】
2005340952.tif 000006
【図５】
2005340952.tif 000007
【図６】
2005340952.tif 000008
【図７】
2005340952.tif 000009
【図８】
2005340952.tif 000010
【図９】
2005340952.tif 000011